(57)【特許請求の範囲】
【請求項１】
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、戸先側端部に第１ガイド溝を備えた上側の第１扉体と、戸先側端部に第２ガイド溝を備えた下側の第２扉体と、から構成されており、
前記第１扉体は、前記開口部の側壁に沿った収納姿勢から前記開口部の幅方向に延出する閉鎖姿勢へ回動可能であると共に、当該第１扉体を収納姿勢から閉鎖姿勢へ回動させる第１自動閉鎖装置によって閉鎖方向に付勢されており、
前記第２扉体は、前記開口部の側壁に沿った収納姿勢から前記開口部の幅方向に延出する閉鎖姿勢へ回動可能であると共に、当該第２扉体を収納姿勢から閉鎖姿勢へ回動させる第２自動閉鎖装置によって閉鎖方向に付勢されており、
前記第１扉体及び第２扉体は、火災検知信号に基づいて、収納姿勢から閉鎖姿勢へ回動するように構成されており、
前記第１扉体には、当該第１扉体の下端面から下方に突出可能なラッチが設けられ、前記第２扉体の上端面には、当該第１扉体の下端面から下方に突出した突出姿勢にあるラッチが係止するラッチ受けが設けてあり、
前記ラッチは、前記第１扉体が収納姿勢にある時および収納姿勢から閉鎖姿勢への回動時には上方に退避した退避姿勢にあり、前記第１扉体が閉鎖姿勢にある時にのみ突出姿勢となり、閉鎖姿勢となった前記第２扉体のラッチ受けに係止するように構成されている、
袖扉付き防火シャッター装置。
【請求項２】
閉鎖姿勢にある第１扉体に対して後から第２扉体が閉鎖姿勢となる場合に、第２扉体が閉鎖姿勢となると同時に前記第１扉体のラッチが前記第２扉体のラッチ受けに係止する、
請求項１に記載の袖扉付き防火シャッター装置。
【請求項３】
前記ラッチは、前記第１扉体内部を高さ方向に延び、上側位置と下側位置との間で上下動可能な昇降ロッドの下端に支持されており、
前記昇降ロッドが上側位置にある時に前記ラッチは退避姿勢にあり、前記昇降ロッドが下側位置にある時に前記ラッチは突出姿勢にあり、
前記昇降ロッドは付勢手段によって上側位置を維持するように付勢されていると共に、前記昇降ロッドの上端には当該付勢手段に抗して当該昇降ロッドを下動させる作動体が回動可能に連結されており、
閉鎖姿勢にある前記第１扉体の上端面の上方に位置して、前記作動体が当接する当接部が設けてあり、
前記第１扉体が閉鎖姿勢となった時に前記作動体が前記当接部に当接案内されて回動して前記昇降ロッドを下動させることで、前記ラッチが突出姿勢となる、
請求項１、２いずれかに記載の袖扉付き防火シャッター装置。
【発明の詳細な説明】
【技術分野】
【０００１】
本発明は、シャッターカーテンと、シャッターカーテンの幅方向の一側の端部を受け入れるガイド溝を戸先側端部に備えた袖扉とで、建物内部の所定部位を閉鎖する防火シャッター装置に関するものである。
【背景技術】
【０００２】
シャッターカーテンと、戸先側端部にガイド溝を備えた袖扉とで、防火区画部位を閉鎖する防火シャッターが知られている。このような袖扉連動防火シャッターは、袖扉の戸先側にガイド溝を形成することで、シャッターカーテンと袖扉間の固定柱を無くすことができるという利点がある。特許文献１には、類似の構成を備えた袖扉連動シャッターが開示されている。
【０００３】
しかしながら、上記従来の袖扉連動防火シャッターは、袖扉が閉鎖した信号を受けてシャッターカーテンが降下開始する機構であるため、袖扉の閉鎖軌跡上に障害物がある場合等には、袖扉の閉鎖障害が発生するのみならず、シャッターカーテンが降下しない、という欠点がある。
【０００４】
これに対して、本出願人は、袖扉を上下二段扉とし、万が一、障害物等により下側扉が閉まらなかった場合に、上側扉のみを閉鎖させ、シャッターカーテンが上側扉の下端まで下降して防煙垂れ壁を形成することで、火災初期の煙を防いで避難安全性を高めた袖扉連動シャッターを開発中である。
【０００５】
ここで、上下二段扉は通常時には分離されており、互いに独立して閉鎖するようになっているが、障害物が取り除かれて下側扉が後から閉まった時、閉鎖状態まで回動した下側扉が戸当り部に当たってバウンドしたような場合には、火災検知信号を受けて防煙垂れ壁を形成した状態から降下開始したシャッターカーテンの幅方向の一端部が、下側扉の戸先側に形成したガイド溝の溝から外れて降下してしまい防火区画が形成できないおそれがある。
【特許文献１】実開昭４８−８０５５号
【発明の開示】
【発明が解決しようとする課題】
【０００６】
本発明は、袖扉を備えた防火シャッター装置において、袖扉の閉鎖軌跡上に障害物がある場合であっても、袖扉を上側扉と下側扉から構成することで火災時初期の防煙性能を確保できるようにすると共に、閉鎖時の下側扉のバウンドを防止してより確実なシャッター閉鎖を行うことを目的とするものである。
【課題を解決するための手段】
【０００７】
本発明が採用した技術手段は、
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、戸先側端部に第１ガイド溝を備えた上側の第１扉体と、戸先側端部に第２ガイド溝を備えた下側の第２扉体と、から構成されており、
前記第１扉体は、前記開口部の側壁に沿った収納姿勢から前記開口部の幅方向に延出する閉鎖姿勢へ回動可能であると共に、第１付勢手段によって閉鎖方向に付勢されており、
前記第２扉体は、前記開口部の側壁に沿った収納姿勢から前記開口部の幅方向に延出する閉鎖姿勢へ回動可能であると共に、第２付勢手段によって閉鎖方向に付勢されており、
前記第１扉体及び第２扉体は、火災検知信号に基づいて、収納姿勢から閉鎖姿勢へ回動するように構成されており、
前記第１扉体には、当該第１扉体の下端面から下方に突出可能なラッチが設けられ、前記第２扉体の上端面には、当該第１扉体の下端面から下方に突出した突出姿勢にあるラッチが係止するラッチ受けが設けてあり、
前記ラッチは、前記第１扉体が収納姿勢にある時および収納姿勢から閉鎖姿勢への回動時には上方に退避した退避姿勢にあり、前記第１扉体が閉鎖姿勢にある時にのみ突出姿勢となり、閉鎖姿勢となった前記第２扉体のラッチ受けに係止するように構成されている、袖扉付き防火シャッター装置、である。
１つの態様では、閉鎖姿勢にある第１扉体に対して後から第２扉体が閉鎖姿勢となる場合に、第２扉体が閉鎖姿勢となると同時に前記第１扉体のラッチが前記第２扉体のラッチ受けに係止する。
【０００８】
１つの態様では、前記ラッチは、前記第１扉体内部を高さ方向に延び、上側位置と下側位置との間で上下動可能な昇降ロッドの下端に支持されており、
前記昇降ロッドが上側位置にある時に前記ラッチは退避姿勢にあり、前記昇降ロッドが下側位置にある時に前記ラッチは突出姿勢にあり、
前記昇降ロッドは付勢手段によって上側位置を維持するように付勢されていると共に、前記昇降ロッドの上端には当該付勢手段に抗して当該昇降ロッドを下動させる作動体が回動可能に連結されており、
閉鎖姿勢にある前記第１扉体の上端面の上方に位置して、前記作動体が当接する当接部が設けてあり、
前記第１扉体が閉鎖姿勢になった時に前記作動体が前記当接部に当接案内されて回動して前記昇降ロッドを下動させることで、前記ラッチが突出姿勢となる。
【０００９】
１つの態様では、前記第２扉体に閉鎖障害が生じて前記第１扉体のみが閉鎖姿勢まで回動した時には、前記シャッターカーテンを前記第１扉体に対応する位置まで降下させるように構成されている。
袖扉の閉鎖軌跡上に障害物がある場合には、この障害物は床面上に置かれていることが殆どであり、また、障害物の高さが天井面まで達していることは極めて稀であると考えられる。したがって、本発明のように、袖扉を上側の第１扉体と第２扉体から構成することで、袖扉の閉鎖軌跡上に障害物がある場合であっても、２段扉の上側の第１扉体のみを閉鎖させ、シャッターカーテンを例えば天井から５００ｍｍの位置まで閉鎖することができる。下側の第２扉体が閉鎖しなくても、防火区画部位において、上部から一定高さＨ（５００ｍｍ以上）の防煙垂れ壁を形成することで、煙の流出を一定時間防ぐことができ、初期避難等に有効である。
【００１０】
１つの態様では、前記第２扉体の閉鎖障害が解消されて閉鎖姿勢まで回動した時には、前記シャッターカーテンを床面まで再降下させて全閉状態とするように構成されている。
袖扉の閉鎖軌跡上の障害物が撤去されると、第２扉体が閉鎖し、シャッターカーテンが床面まで降下して全閉姿勢となることで最終的に防火区画を形成することができる。
【発明の効果】
【００１１】
本発明では、上側の第１扉体が閉鎖姿勢にある時にのみラッチを有効とし、下側の第２扉体が閉鎖姿勢となると同時に、第１扉体のラッチが第２扉体のラッチ受けに係止するようにしたので、下側の第２扉体が後から閉鎖姿勢となる場合において、第２扉体がバウンドしてしまうようなことがなく、より確実なシャッター閉鎖を行うことができる。
【発明を実施するための形態】
【００１２】
本発明の実施形態を図面に基づいて詳細に説明する。袖扉付き防火シャッター装置は、建物内の空間の所定の防火区画部位に設置されており、火災時に、シャッターカーテン１と袖扉とで建物内空間を閉鎖して建物内を区画するように構成されている。袖扉は、上側の第１扉体２と下側の第２扉体３とから構成されており、下側の第２扉体３には、避難用の子扉４が第２扉体３に対して開閉可能に装着されている。本明細書において、「開口部」には、シャッターカーテン１と袖扉２によって閉鎖される建物内空間が含まれる。
【００１３】
図１は、全閉状態にある袖扉付き防火シャッター装置を示す概略正面図であって、左右の側壁５、６と天井面ＣＬと床面ＦＬとで形成される開口部の幅方向の一部がシャッターカーテン１によって、残りの部分が第１扉体２及び第２扉体３によって、それぞれ閉鎖される。図示の例では、袖扉２が収納される側壁６は、袖扉付き防火シャッターによって閉鎖される開口部の幅方向に対して略９０度で延出しているが、側壁６は開口部の幅方向に対して９０度で延出するものに限定されるものではなく、９０度よりも大きい角度、例えば、略１８０度で延出するものでもよく、あるいは９０度よりも小さい角度で延出するものでもよい。前者の場合、袖扉２は、収納姿勢から約１８０度回動することで閉鎖姿勢となる。また、図示の例では、シャッターカーテン１の片側に位置して袖扉２を備えているが、シャッターカーテン１の両側に位置して２つの袖扉を備えたものでもよい。
【００１４】
開口部全閉状態において、シャッターカーテン１の幅方向の一側の端部は、側壁５に形成されたガイド溝７内に受け入れられ、シャッターカーテン１の幅方向の他側の端部は、第１扉体２、第２扉体３の戸先側にそれぞれ形成されたガイド溝８Ａ、８Ｂ内に受け入れられる。
【００１５】
図示の例では、第１扉体２の高さ寸法は、第２扉体３の高さ寸法よりも小さい寸法となっており、第１扉体２と第２扉体３は、同幅・同厚さではあるが、前者が横長方形状、後者が縦長方形状の形状を備えている。第１扉体２の高さ寸法は、一つの態様では、５００ｍｍ以上の高さを備えている。第１扉体２、第２扉体３の寸法や形状は図示の例に限定されないことは言うまでもない。
【００１６】
図４、図５に示すように、第１扉体２は、対向する面部２０、２１と、上端面２２、下端面２３、を備えており、戸先側端面にはガイド溝８Ａが形成されている。第１扉体２は、側壁６に対して平行に延びる収納姿勢と、側壁６に対して垂直に延びる姿勢、すなわち、開口部の幅方向に延びる閉鎖姿勢、との間で回動可能となっている。面部２０、２１において、面部２０が、収納姿勢にある第１扉体２が収納姿勢から閉鎖姿勢へと回動する場合の回動方向側に位置し、面部２１が、収納姿勢にある第１扉体２が収納姿勢から閉鎖姿勢へと回動する場合の回動方向とは反対側に位置している。
【００１７】
第２扉体３は、対向する面部３０、３１と、上端面３２、下端面３３、を備えており、戸先側端面にはガイド溝８Ｂが形成されている。第２扉体３は、側壁６に対して平行に延びる収納姿勢と、側壁６に対して垂直に延びる姿勢、すなわち、開口部の幅方向に延びる閉鎖姿勢、との間で回動可能となっている。面部３０、３１において、面部３０が、収納姿勢にある第２扉体３が収納姿勢から閉鎖姿勢へと回動する場合の回動方向側に位置し、面部３１が、収納姿勢にある第２扉体３が収納姿勢から閉鎖姿勢へと回動する場合の回動方向とは反対側に位置している。
【００１８】
第１扉体２、第２扉体３は、通常時には、側壁６に対して平行する収納姿勢で、側壁６に沿って収納されている。一つの態様では、側壁６には凹部状の収納部６０が形成されており、通常時には、第１扉体２、第２扉体３は、側壁６に形成された収納部６０内に、第１扉体２、第２扉体３のそれぞれの一方の面部２０、３０が側壁６と面一となるように収納されている。図３、図５に示すように、収納部６０は、収納姿勢における第１扉体２、第２扉体３の戸尻側に位置する戸尻側縦枠６０Ａと、上枠６０Ｂと、第１扉体２、第２扉体３の戸先側に位置する戸先側縦枠と、床面ＦＬと、で囲まれた空間として形成されている。戸先側縦枠は、収納姿勢にある第１扉体２、第２扉体３の戸先側端面に接近対向する第１面６０Ｃと、収納姿勢にある第１扉体２、第２扉体３の面部２１、３１に接近対向する第２面６０Ｄと、から平面視Ｌ字状に形成されている。
【００１９】
第１扉体２の戸尻側には、第１扉体２を収納姿勢から閉鎖姿勢へ回動させる自動閉鎖装置としてのオートヒンジ９が設けてあり、第１扉体２が自由な状態では、オートヒンジ９の付勢力によって、第１扉体２は、側壁６に平行な収納姿勢から、側壁６に対して垂直な姿勢、すなわち、開口部の幅方向に延出する閉鎖姿勢へ向かって自動的に回動する。
【００２０】
同様に、第２扉体３の戸尻側には、第２扉体３を収納姿勢から閉鎖姿勢へ回動させる自動閉鎖装置としてのオートヒンジ１２が設けてあり、第２扉体３が自由な状態では、オートヒンジ１２の付勢力によって、第２扉体３は、側壁６に平行な収納姿勢から、側壁６に対して垂直な姿勢、すなわち、開口部の幅方向に延出する閉鎖姿勢へ向かって自動的に回動する。第１扉体２、第２扉体を収納姿勢から閉鎖姿勢へ回動させる自動閉鎖装置としてはオートヒンジ以外の他の手段が採用され得ることは当業者に理解される。
【００２１】
図４、図５において、参照番号１０は、第１扉体２の戸尻側の下端と第２扉体３の戸尻側の上端との間で戸尻側縦枠６０Ａに片持ち状に設けた中間金具であり、中間金具１０は第１扉体２のオートヒンジ９の下端側、第２扉体３の上端に設けたトップピボット１１の上端側をそれぞれ回動自在に支持している。第２扉体３のオートヒンジ１２は、一つの態様では、第２扉体３の戸尻側の下端側に設けてある。
【００２２】
通常時には、第１扉体２は、凹部６０内、より具体的には、戸先側縦枠の第２面６０Ｄに設けた電磁レリーズ６１によって、凹部６０内に収まった状態、すなわち、側壁６に平行な収納姿勢で回動規制されており、収納姿勢が保持されている。電磁レリーズ６１は、火災検知信号を受けると解除されるようになっており、電磁レリーズ６１の解除後は、オートヒンジ９の付勢力で第１扉体２が自動的に閉鎖方向に回動する。このような電磁レリーズは、当業者によく知られている。また、第１扉体２を収納姿勢で保持する手段は、電磁的な保持手段（典型的には、電磁レリーズが例示される）に限定されるものではなく、他の手段が採用され得ることは当業者に理解される。
【００２３】
図４に示すように、第１扉体２の面部２０（収納姿勢において開口部に面している）の下端は、下端面２３よりも下方に突出することで、延出片２００が形成されている。一方、第２扉体３の面部３０の上端には、上端面３２より下方に位置する凹状の段部３００が形成されており、第１扉体２の延出片２００は、第２扉体３の上端面３２を越えて段部３００にまで延出している。したがって、収納姿勢において、第２扉体３の段部３００の開口部側には第１扉体２の延出片２００が位置することになる。第１扉体２を越えて第２扉体３が先に閉鎖方向へ回動することは、第１扉体２の下端の延出片２００に第２扉体３の上端の段部３００が当接することで規制される。
【００２４】
一つの態様では、第２扉体３には収納姿勢を保持する電磁レリーズは設けておらず、電磁レリーズ６１によって収納姿勢が保持されている第１扉体２の下端の延出片２００に対して第２扉体３の上端の凹部３００が当接することで、第２扉体３の収納姿勢が保持されている。したがって、電磁レリーズ６１の解除によって第１扉体２が自動的に閉鎖方向に回動することに伴って、第２扉体３の収納姿勢の保持が解除され、第２扉体３はオートヒンジ１２によって自動的に閉鎖方向に回動することができる。尚、第２扉体３の収納姿勢を、火災検知信号を受けることで解除される電磁レリーズを用いて保持するようにしてもよい。
【００２５】
第１扉体２及び第２扉体３は、収納姿勢及び閉鎖姿勢において、一体の状態となって袖扉を形成しており、第１扉体２の下端の延出片２００に第２扉体３の上端の段部３００が接近ないし当接した状態である。さらに、一つの態様では、第１扉体２と第２扉体３とは、第１扉体２の下端の延出片２００に第２扉体３の上端の段部３００が接近ないし当接した状態で一体で回動して閉鎖姿勢となる。そのためには、第２扉体３のオートヒンジ１２のばね力は、第１扉体２のオートヒンジ９のばね力よりも大きい力を備えており、第２扉体３を第１扉体２よりも大きい速度で回動させることが有利である。
【００２６】
図２、図６〜図８に示すように、開口部の幅方向の所定部位の上方には、天井面ＣＬに近接して、第１扉体２が閉鎖姿勢まで回動した時に当接する戸当り部１３が設けてある。戸当たり部１３は、天井面ＣＬよりも下側に位置し、閉鎖姿勢において第１扉体２の上端面２２に接近対向する水平面１３０と、水平面１３０の第１扉体２の厚さ方向の一端に垂下状に形成され、閉鎖姿勢において第１扉体２の面部２０の上端が当接する側方戸当たり１３１と、水平面１３０の第１扉体２の厚さ方向の他端に天井面ＣＬにまで達するように形成された立ち上がり部１３２と、を備えている。戸当たり部１３は、開口部の幅方向の上方（閉鎖姿勢にある第１扉体２の上方）に設けた上枠１４の下端に固定されて支持されている。
【００２７】
開口部上方の上枠１４には、さらに、ラッチ１５が設けてあり、第１扉体２が全閉姿勢まで回動して戸当り部１３に当接した時に、第１扉体２の上面２２に形成されたラッチ受け２２０にラッチ１５が嵌ってロックするようになっている。上枠１４の下方に水平面１３０が位置している場合には、ラッチ１５は水平面１３０に形成される開口を通して下方に突出することが当業者に理解される。
【００２８】
第１扉体２には、第１扉体２の下端面２３から下方に突出可能なラッチ１６が設けられ、第２扉体３の上端面３２には、第１扉体２の下端面２３から下方に突出した突出姿勢にあるラッチ１６が係止するラッチ受け１７が設けてある。
【００２９】
ラッチ１６は、第１扉体２が収納姿勢にある時および収納姿勢から閉鎖姿勢への回動時には上方に退避した退避姿勢にあり、第１扉体２が閉鎖姿勢にある時にのみ突出姿勢となり、閉鎖姿勢となった第２扉体３のラッチ受け１７に係止する。
【００３０】
第１扉体２の戸先側に寄った位置には、第１扉体２内部を高さ方向に延び、上側位置と下側位置との間で上下動可能な昇降ロッド１８が設けてある。ラッチ１６は、昇降ロッド１８の下端に支持されており、昇降ロッド１８が上側位置にある時にラッチ１６は退避姿勢にあり、昇降ロッド１８が下側位置にある時にラッチ１６は突出姿勢にある。ラッチ１６が退避姿勢にある時には、ラッチ受け１７に係止することはない。
【００３１】
昇降ロッド１８は、第１扉体２内部に設けた上側支持部材１８０と、下側支持部材１８１によって、垂直姿勢を保持した状態で上下動可能に支持されている。上側支持部材１８０は、側面視Ｌ字状の部材であり、水平部１８０Ａの挿通孔に昇降ロッド１８の上側部位が挿通されている。下側支持部材１８１は、側面視コ字形状の部材であり、上側水平部１８１Ａの挿通孔に昇降ロッド１８の下側部位が挿通されている。
【００３２】
昇降ロッド１８の下側部位には付勢手段としてのコイルスプリング１９が外装されており、コイルスプリング１９の上端は昇降ロッド１８の外面に設けたフランジ１８２に下方から当接あるいは固定されており、コイルスプリング１９の下端は下側支持部材１８１の上側水平部１８１Ａに載っている。昇降ロッド１８は、コイルスプリング１９によって上方に付勢されており、昇降ロッド１８の上端に外力が作用しない通常時では、昇降ロッド１８の上側位置が維持されている。昇降ロッド１８が上側位置にある時には、昇降ロッド１８の上側部位の外面に設けたフランジ１８３が上側支持部材１８０の水平部１８０Ａに下方から当接している。
【００３３】
昇降ロッド１８の上端はＵ字状の連結部１８４から形成されており、コイルスプリング１９の付勢力に抗して昇降ロッド１８を下動させる作動体としてのカム２４が連結点Ｐ１において連結部１８４に回動可能に連結されている。カム２４は、第１扉体２の上端面２２に近接した回動支点Ｐ２を中心に回動可能に第１扉体２内に設けてあり、カム２４が回動支点Ｐ２を中心に上下に回動することで、カム２４と昇降ロッド１８の上端（連結部１８４）との連結点Ｐ１が上下動するようになっている。
【００３４】
図６に示すように、カム２４は第１扉体２の上端面２２より突出しているが、第１扉体２が収納姿勢にある時および収納姿勢から閉鎖姿勢への回動時には、天井面ＣＬとカム２４との間にはクリアランスが維持されており、カム２４が天井面ＣＬに接触するようなことがない。したがって、第１扉体２が収納姿勢にある時および収納姿勢から閉鎖姿勢への回動時には、昇降ロッド１８の上端にはいかなる外力も作用せず、コイルスプリング１９のバネ力によって昇降ロッド１８の上側位置が維持される。
【００３５】
第１扉体２が収納姿勢から回動して閉鎖姿勢に近づくと、カム２４の傾斜面２４０が水平面（当接部）１３０に当接しながら案内されることで、カム２４が回転支点Ｐ２を中心に下方に回動して連結点Ｐ１を押し下げ、昇降ロッド１８はコイルスプリング１９を圧縮しながら下動して下側位置となり、昇降ロッド１８の下端に設けたラッチ１６が第１扉体２の下端面２３から下方に突出して突出姿勢となる（図７、図８参照）。
【００３６】
図示の態様では、ラッチ１６の上部にはコ字状のベース１６０が設けてあり、ラッチ１６とベース１６０は一体で昇降ロッド１８の下端に垂下状に上下動可能に支持されている。ラッチ１６とベース１６０は下側支持部材１８１の下側水平部１８１Ｂに形成された開口を通して昇降ロッド１８に対して上下動可能となっている。ラッチ１６とベース１６０は、外部から力が作用しない状態では自重及びコイルスプリング１６１のバネ力によって昇降ロッド１８に対して下側に位置している。図示の態様では、昇降ロッド１８の下端部には、ベース１６０の水平部の上方に位置してコイルスプリング１６１が外装されており、コイルスプリング１６１の上端は昇降ロッド１８の外面に設けたフランジ１８５に下方から当接あるいは固定されており、コイルスプリング１６１は、ラッチ１６及びベース１６０を昇降ロッド１８に対して下方に付勢している。尚、コイルスプリング１６１は必須の要素ではなく、ラッチ１６とベース１６０は、外部から力が作用しない状態では自重のみで昇降ロッド１８に対して下側に位置するものでもよい。
【００３７】
第１扉体２が閉鎖姿勢となってラッチ１６が下方に突出した突出姿勢にある時に、第２扉体３が後から閉鎖姿勢となる時には、閉鎖姿勢に近づいた第２扉体３の上端面３２がラッチ１６の傾斜面に当接しながらラッチ１６及びベース１６０をコイルスプリング１６１のバネ力に抗して上動させ、第２扉体３が閉鎖姿勢となった時に、ラッチ１６がラッチ受け１７に合致して、ラッチ１６及びベース１６０はその自重及びコイルスプリング１６１の付勢力で下方に突出してラッチ１６とラッチ受け１７が係止状態となる。したがって、第２扉体３が閉鎖姿勢となると同時に、第１扉体２のラッチ１６が第２扉体３のラッチ受け１７に係止するので、第２扉体３が閉鎖姿勢からバウンドするようなことがない。
【００３８】
図２に示すように、戸当り部１３には、第１扉体２が閉鎖姿勢にあることを検知して、袖扉閉鎖完了後にシャッターカーテンを降下させるスイッチＳＷ１が設けてある。図２において、スイッチＳＷ３は、袖扉が閉まっていない状態でシャッターカーテンを電動降下させないためのスイッチであり、手動式シャッターの場合には不要である。
【００３９】
第１扉体２の下端の延出片２００と第２扉体３の上端の段部３００の間、あるいは、第１扉体２の下端面２３と第２扉体３の上端面３２の間、に位置して、第１扉体２と第２扉体３とが一体の状態（第１扉体２の直下に第２扉体３が位置している状態）にないことを検知するスイッチＳＷ２（図示せず）が設けてある。すなわち、スイッチＳＷ２は、第１扉体２が第２扉体３から離れたことを検知するスイッチである。第１扉体２と第２扉体３が一体の状態にあるときは、スイッチＳＷ２はＯＦＦ（非作動状態）となっている。
【００４０】
開口部の幅方向の所定部位の上方の天井面ＣＬ内に位置してシャッターカーテンの収納部が設けてあり、通常時には、シャッターカーテン１は巻取シャフトに巻装された状態で収納部に収納されている。通常時には、開閉機（図示せず）の出力軸の回転をブレーキによって規制することで、開閉機の出力軸に連結されている巻取シャフトの回転が規制されている。煙感知や熱感知による火災検知信号が自動閉鎖装置に送信されると、自動閉鎖装置が開閉機のブレーキを解除し、巻取シャフトの回転規制が解除されて、シャッターカーテン１は調速手段によって調速されながら自重で降下する。
【００４１】
火災時に、火災検知信号を受けて第１扉体２が閉鎖姿勢まで回動して、第１扉体２が戸当り部１３に当接した時に、スイッチＳＷ１がＯＮ（作動状態）となると、制御部からの信号で自動閉鎖装置が開閉機のブレーキを解放することで巻取シャフトの回転規制が解除されて、シャッターカーテン１が自重で降下する。火災時に所定の信号を受けて自重降下する防火シャッターの基本的な構成（典型的には、自動閉鎖装置を備えている）は当業者によく知られている。
【００４２】
本実施形態では、制御部は、スイッチＳＷ２が非作動状態にあるか作動状態にあるかによって異なる制御を行なっている。具体的には、制御部は、シャッターカーテン１を所定位置で停止させるための第１リミットスイッチと第２リミットスイッチを備えている。第１リミットスイッチ、第２リミットスイッチは、一つの態様では、巻取シャフトに連結された開閉機の出力軸の回転を検出することでシャッターカーテン１の位置検出を行う。第１リミットスイッチは、出力軸の回転を検出することでシャッターカーテン１が床面まで降下したことを検知するものであり、第１リミットスイッチによる検出があると、制御部は自動閉鎖装置によって解放された開閉機のブレーキを復帰させることでシャッターカーテン１を停止させる。第２リミットスイッチは、出力軸の回転を検出することでシャッターカーテン１が第１扉体２の下端面２３の位置まで降下したことを検知するものであり、第２リミットスイッチによる検出があると、制御部は自動閉鎖装置によって解放された開閉機のブレーキを復帰させることでシャッターカーテン１を停止させる。スイッチＳＷ２が非作動状態にある時には、第１リミットスイッチのみが有効となって、シャッターカーテン１は床面まで降下して全閉姿勢となる。スイッチＳＷ２が作動状態にある時には、第２リミットスイッチのみが有効となって、シャッターカーテン１は第１扉体２の下端面２３の位置まで降下して停止する。尚、第１扉体２の高さ寸法にもよるが、第１扉体２の下端面２３まで降下しなくても十分な防煙垂れ壁の機能を発揮できるような場合には、第１扉体２に対応して所定位置までシャッターカーテン１を降下させればよく、必ずしも、第１扉体２の下端面２３までシャッターカーテン１を降下させなくてもよい。
【００４３】
第１リミットスイッチ、第２リミットスイッチを用いた制御は一つの態様を例示するに過ぎない。例えば、シャッターカーテン１を第１扉体２の下端面２３まで降下させる点について言えば、シャッターカーテン１を所定位置まで降下させて停止させる手段として様々な手段が取り得ることは当業者に理解され、このような手段としては、タイマーを用いるもの、巻取シャフトの回転数を検出することによるものを例示することができる。
【００４４】
このように構成された防火シャッター装置において、火災時に火災検知信号を受信すると、第１扉体２を収納姿勢に保持している電磁レリーズ６１が解除され、オートヒンジ９のばね力により第１扉体２が閉鎖方向へ回動する。それと同時に、同じくオートヒンジ１２のばね力によって第２扉体３も閉鎖方向へ回動する。第１扉体２と第２扉体３が一体（スイッチＳＷ２がＯＦＦの状態）で回動して閉鎖姿勢となると、第１扉体２が戸当り部１３に当接した時に、スイッチＳＷ１がＯＮとなって、スイッチＳＷ１からの信号が制御部に送信されて、自動閉鎖装置を介してシャッターカーテン１が幅方向の一端側の端部がガイド溝７、他側の端部がガイド溝８Ａ、８Ｂに案内されながら全閉状態まで降下し、降下するシャッターカーテン１は第１リミットスイッチの検出により自動閉鎖装置によって解放された開閉機のブレーキを復帰させることで停止する。
【００４５】
一方、第２扉体３の閉鎖軌跡上の障害物等によって第２扉体３の閉鎖障害が発生すると、第１扉体２が第２扉体３から離れてスイッチＳＷ２がＯＮ（作動状態）となると共に、第１扉体２のみが閉鎖方向へ回動して、第１扉体２が戸当り部１３に当接した時に、スイッチＳＷ１がＯＮとなる。ＳＷ１、ＳＷ２からの信号が制御部に送信されて、自動閉鎖装置を介してシャッターカーテン１が幅方向の一端側の端部がガイド溝７、他側の端部がガイド溝８Ａに案内されながら第１扉体２の下端面の位置まで降下し、降下するシャッターカーテン１は第２リミットスイッチの検出により自動閉鎖装置によって解放された開閉機のブレーキを復帰させることで停止する。
【００４６】
したがって、第２扉体３の閉鎖軌跡上に障害物がある場合であっても、２段扉の上側の第１扉体２のみを閉鎖させ、第１扉体２の閉鎖をスイッチＳＷ１が検知して、シャッターカーテン１を例えば天井から５００ｍｍの位置まで閉鎖することができる。下側の第２扉体３は閉鎖しないが、防火区画部位において、上部から一定高さＨ（５００ｍｍ以上）の防煙垂れ壁を形成することで、煙の流出を一定時間防ぐことができ、初期避難等に有効である。
【００４７】
また、障害物を撤去した後は、第２扉体３がオートヒンジによって閉鎖を再開し、第２扉体３が閉鎖姿勢まで回動した時に、スイッチＳＷ２がＯＦＦ（非作動状態）となって、第１リミットスイッチのみが有効となって、制御部からの信号で、復帰されている開閉機のブレーキを自動閉鎖装置が再び解放することで、シャッターカーテン１が降下を再開して全閉状態まで降下し、降下するシャッターカーテン１は第１リミットスイッチの検出により自動閉鎖装置によって解放された開閉機のブレーキを復帰させることで停止する。
【００４８】
第１扉体２が閉鎖姿勢にある時には、ラッチ１６は下方に突出した突出姿勢にある。閉鎖姿勢にある第１扉体２に対して第２扉体３が後から閉鎖姿勢となる時には、閉鎖姿勢に近づいた第２扉体３の上端面３２がラッチ１６の傾斜面に当接しながらラッチ１６及びベース１６０をコイルスプリング１６１のバネ力に抗して上動させ、第２扉体３が閉鎖姿勢となった時に、ラッチ１６がラッチ受け１７に合致して、ラッチ１６及びベース１６０はその自重及びコイルスプリング１６１の付勢力で下方に突出してラッチ１６とラッチ受け１７が係止状態となる。したがって、第２扉体３が閉鎖姿勢となると同時に、第１扉体２のラッチ１６が第２扉体３のラッチ受け１７に係止するので、第２扉体３が閉鎖姿勢からバウンドするようなことがない。したがって、シャッターカーテン１は、幅方向の一方の端部が第２扉体３の戸先側のガイド溝Ｂに案内されながら全閉状態まで降下することができて、確実に開口部を閉鎖して防火区画を形成する。閉鎖姿勢にある第１扉体２に対して第２扉体３が後から遅れて閉鎖する場合について、障害物により閉鎖途中で停止した第２扉体３が当該障害物の撤去によって閉鎖する場合について説明したが、第２扉体３が第１扉体２に対して遅れて閉鎖する場合はこれには限定されない。例えば、第１扉体２、第２扉体３のオートヒンジの閉鎖力に違いがあって、第２扉体３の閉鎖速度が第１扉体２の閉鎖速度よりも遅い場合には、先に閉鎖姿勢となった第１扉体２に対して第２扉体３が後から遅れて閉鎖することになる。
【００４９】
ロック状態にあるラッチ１５の解除手段について説明する。ラッチ１５がロック状態にある時には、ラッチ１５は上下動のみ可能であり、ラッチ１５が解除状態となると、ラッチ１５は上下動に加えて回動可能となっている。ラッチ１５の解除は、操作部２５のレバー２５０を手前に引くことによって機械的に行う。ラッチ１５のロックは、操作部２５から突出したレバー２５０を操作部２５に押し込んで元の位置に復帰させることで行う。
【００５０】
図３（Ａ）、図５に示すように、操作部２５は、戸先側縦枠の第２面６０Ｄに略面一に埋設されている。したがって、もしレバー２５０をラッチ１５がロック状態となるように復帰させることを忘れてしまったとしても、閉鎖姿勢から収納姿勢へ回動する第２扉体３の面部３１が突出しているレバー２５０を押し込むことでレバー２５０は自動的に元の状態に復帰する。
【産業上の利用可能性】
【００５１】
本発明は、袖扉を備えた防火シャッターに用いることができる。
【図面の簡単な説明】
【００５２】
【図１】袖扉を備えたシャッターの全閉状態の概略正面図である。
【図２】図１の部分拡大図である。
【図３】（Ａ）は側壁に形成された収納部、（Ｂ）は収納部に収納された状態の袖扉（第１扉体及び第２扉体）を示す図である。
【図４】左図は閉鎖姿勢にある第１扉体の上端部位を示す図、中央図は一体の状態にある第１扉体及び第２扉体を戸先側から見た側面図、右図は一体の状態にある第１扉体及び第２扉体の縦断面図、である。
【図５】袖扉の収納姿勢と閉鎖姿勢を示す平面図、および、第１扉体の戸尻側の下端部と第２扉体の戸尻側の上端部を示す図である。
【図６】袖扉（上側の第１扉体、下側の第２扉体）が一体で回動して閉鎖姿勢に近づいた状態を示す図である。この状態において、第１扉体の下端面のラッチは、第２扉体の上端面のラッチ受けに係止しておらず、第１扉体と第２扉体は分離されている。
【図７】図６の状態から袖扉（上側の第１扉体、下側の第２扉体）が閉鎖姿勢となった状態を示す図である。この状態において、第１扉体の下端面のラッチは、第２扉体の上端面のラッチ受けに係止しており、第２扉体は第１扉体から独立して単独で回動することはできない。
【図８】上側の第１扉体のみが先に閉鎖姿勢となり、下側の第２扉体が後から回動して閉鎖姿勢に近づいた状態を示す図である。
【符号の説明】
【００５３】
１  シャッターカーテン
２  第１扉体
３  第２扉体
１６  ラッチ
１７  ラッチ受け
１８  昇降ロッド
１９  コイルスプリング
【図１】
0005623756.tif 000002
【図２】
0005623756.tif 000003
【図３】
0005623756.tif 000004
【図４】
0005623756.tif 000005
【図５】
0005623756.tif 000006
【図６】
0005623756.tif 000007
【図７】
0005623756.tif 000008
【図８】
0005623756.tif 000009